(57)【要約】      （修正有）【課題】電子機器外装の受音部側に導音孔を設けた電子回路基板を配置し、その電子回路基板の背面側に導音孔を覆うようにマイクロフォンを半田付け実装した構造において、動画撮影中の光学ズーム変倍のメカ駆動音等の機器内部のノイズを記録しない、高音質が得られる電子機器を提供する。【解決手段】マイクロフォン９ａ９ｂと、音を通過させる受音孔２ａ２ｂを形成したトップカバーユニット２と、導音孔８ａ８ｂを備える。導音孔８ａ８ｂを覆うようにマイクロフォン９ａ９ｂを実装したフレキシブル配線基板８と、基板を囲い込むマイクブッシュ１１と、マイクブッシュを圧接状態にすることで、トップカバーユニットに基板とマイクブッシュとを固定する保持部材１２を有する。保持部材の組み付け方向は、音道と略直交とし、圧接部１１ｆは、マイクロフォン９ａ９ｂの周囲とする。【選択図】図６
2016103685.tif 000002
【特許請求の範囲】
【請求項１】
マイクロフォン（９ａ、９ｂ）と
音を通過させる受音部（２ａ、２ｂ）を形成した外装部材（２）と、
導音孔（８ａ、８ｂ）を備え、前記導音孔（８ａ、８ｂ）を覆うようにマイクロフォン（８ａ、８ｂ）を実装した電子回路基板（８）と、
前記電子回路基板（８）を囲い込む弾性部材（１１）と、
前記弾性部材（１１）を圧接状態（１１ｆ）にすることで、前記外装カバー（２）に前記電子回路基板（８）と弾性部材（１１）とを固定する保持部材（１２）を有する電子機器（１）において、
前記保持部材（１２）の組み付け方向は、音道と直交とし、
圧接部（１１ｆ）は、マイクロフォン（９ａ、９ｂ）の周囲とすることを特徴とする電子機器。
【請求項２】
前記圧接部（１１ｆ）の圧接方向は、音道と平行となる方向とし、保持部材（１２）もしくは弾性部材（１１）の双方もしくは少なくとも１部品から、圧接形状（１２ａ）を形成したことを特徴とする請求項１又は請求項２に記載の電子機器。
【請求項３】
前記保持部材（１２）は、突出部（１２ｃ）を有し、前記突出部（１２ｃ）は前記弾性部材（１１）に内包される前記電子回路基板（８）の組込用開口（１１ｃ）を覆うように、形成したことを特徴とする請求項１に記載の電子機器。
【発明の詳細な説明】
【技術分野】
【０００１】
本発明は、電子機器に関し、特にマイクロフォンを搭載する撮像装置等の電子機器に関する。
【背景技術】
【０００２】
従来、マイクロフォンを備えた電子機器が知られている。近年においては、電子機器外装の受音部側に、導音孔を設けた電子回路基板を配置し、その電子回路基板の背面側に導音孔を覆うようにマイクロフォンを半田付け実装することで、マイクロフォンと電子回路基板の間に音孔以外の空間を形成させないことで音孔の密閉性を高めている。これにより、電子機器の受音性能を向上させている。
【０００３】
特許文献１には、電子回路基板に導音孔を備え、その導音孔を覆うように半田付け実装されたマイクロフォンを具備した携帯端末が開示されている。
【先行技術文献】
【特許文献】
【０００４】
【特許文献１】特許第４７６２９２７号公報
【発明の概要】
【発明が解決しようとする課題】
【０００５】
しかしながら、上述の特許文献１の図２に示すような構造をデジタルカメラ等の撮像機器に適用すると、マイクロフォンの周囲は密閉せずに空間であるため、動画撮影中の光学ズーム変倍等のメカ駆動音が、マイクロフォンに伝播しノイズとして記録されてしまう。また、電子回路基板の導音孔を覆うようなマイクロフォンの半田付け実装は、半田の仕上がりが目視検査では確認できないため、電子機器内部側にノイズ源を有する場合は、別の手段でも導音孔とマイクロフォンの密閉性を確保するべきである。
【０００６】
そこで、本発明の目的は、電子機器外装の受音部側に導音孔を設けた電子回路基板を配置し、その電子回路基板の背面側に導音孔を覆うようにマイクロフォンを半田付け実装した構造において、動画撮影中の光学ズーム変倍のメカ駆動音等の機器内部のノイズを記録しない高音質が得られる電子機器を提供することにある。
【課題を解決するための手段】
【０００７】
上記の目的を達成するために、本発明は、マイクロフォンと、音を通過させる受音部を形成した外装部材と、導音孔を備え、前記導音孔を覆うようにマイクロフォンを実装した電子回路基板と、前記電子回路基板を囲い込む弾性部材と、前記弾性部材を圧接状態にすることで、前記外装カバーに前記電子回路基板と弾性部材とを固定する保持部材を有する電子機器において、前記保持部材の組み付け方向は、音道と略直交とし、圧接部はマイクロフォンの周囲とすることを特徴とする。
【発明の効果】
【０００８】
本発明によれば、電子機器外装の受音部側に、導音孔を設けた電子回路基板を配置し、その電子回路基板の背面側に導音孔を覆うようにマイクロフォンを半田付け実装した構造において、動画撮影中の光学ズーム変倍のメカ駆動音等の機器内部のノイズを記録しない高音質が得られる電子機器の提供を実現できる。
【図面の簡単な説明】
【０００９】
【図１】本発明の第１の実施形態であるデジタルカメラの正面斜視図
【図２】本発明の第１の実施形態であるデジタルカメラの分解斜視図
【図３】本発明の第１の実施形態であるデジタルカメラのマイクロフォンの固定に係る分解斜視図
【図４】本発明の第１の実施形態であるデジタルカメラのマイクロフォン周辺の詳細な分解図斜視図
【図５】本発明の第１の実施形態であるデジタルカメラの保持部材をトップカバーユニットに組み付ける状態の斜視図と断面図
【図６】本発明の第１の実施形態であるデジタルカメラの保持部材をトップカバーユニットに固定した状態の正面図と断面図
【発明を実施するための形態】
【００１０】
以下、本発明に関する実施形態について図面を参照して詳細に説明する。
【００１１】
＜第１の実施形態＞
図１は本発明の実施形態であるデジタルカメラ１の斜視図である。後述するマイクロフォンは、トップカバーユニット２に形成された受音孔２ａ、２ｂの後方に配置されている。受音孔２ａ、２ｂの底部外観には、金属製のメッシュシート３がトップカバーユニット２の裏側に貼り付けられ露出している。受音孔２ａ、２ｂが２箇所存在するのは、ステレオ録音を可能とするためである。
【００１２】
図２はデジタルカメラ１の分解斜視図である。各ユニットは、メインユニット４に組み付け固定され、レンズ鏡筒４ａは動画撮影中の光学ズームを不図示のモータにて可能としている。フロントカバーユニット５には、ズームリング５ａを具備し、これを回動させることで、光学ズームが可能となる。メインユニット４の側面を覆うサイドカバー６の組み付け後に、トップカバーユニット２をメインユニット４に組み付ける。その後、不図示のＬＣＤユニットを具備するリアカバーユニット７を組み付けて、デジタルカメラ１の組み付けは完成となる。
【００１３】
図３はデジタルカメラ１のマイクロフォンの固定に係る分解斜視図である。図３（ａ）は正面分解斜視図であり、図３（ｂ）は背面分解斜視図である。トップカバーユニット２の受音孔２ａ、２ｂの後方には、外部ストロボ装置等のアクセサリ部品の装着に使用し、所定の接点部でデジタルカメラ１と通信可能に接続するアクセサリシュー２ｃが配置されている。受音孔２ａ、２ｂの底面には、メッシュシート３がトップカバーユニット裏面から両面テープ部３ｂによって固定され、金属製のメッシュシート３ａを外観上に露出させている。内部側には撥水シート３ｃを配置し、集音孔２ａ、２ｂからの水滴や埃の侵入は、これらのシートによって妨げられる。
【００１４】
マイクロフォン９ａ、９ｂは、フレキシブル配線基板８に実装されている。フレキシブル配線基板８は、トップカバーユニット２に具備する操作系の接点部も有し、保持部材となるトッププレート１０に不図示の両面テープにより固定され、端子部８ｃによってメインユニット４の不図示の信号処理基板に電気的に接続される。
【００１５】
マイクブッシュ１１は、エチレンプロピレンゴムで形成され弾性を有し、フレキシブル配線基板収納部１１ｃにフレキシブル配線基板８を挿入し、マイクロフォン収納部１１ｄ、１１ｅにてマイクロフォン９ａ、９ｂを覆うことで、フレキシブル配線基板８を係止する。この状態で、トップカバーユニット２へフレキシブル配線基板８、マイクブッシュ１１を組み付ける。その後、保持部材１２をトップカバーユニット２とマイクブッシュ１１の隙間に挿し込むように組み付け、ビス１３でトップカバーユニット２へ固定する。
【００１６】
トップカバーユニット２の受音孔２ａ、２ｂの方向と、マイクロフォン９ａ、９ｂの組み付け方向が、略直交しているのは、アクセサリシュー２ｃの前方の限られたスペースにカメラの形状を突出させることなく、マイクロフォン９ａ、９ｂを配置するためである。また、このスペースは、ユーザーがデジタルカメラ１をグリップした時においても、ユーザーの指や手が、不用意に受音孔２ａを塞いでしまうことが起こりにくいため、受音孔の配置に適している。フレキシブル配線基板８と、マイクロフォン９ａ、９ｂと、マイクブッシュ１１の組み付けの詳細は図４以降の説明で後述する。
【００１７】
図４はデジタルカメラ１のマイクロフォン９ａ、９ｂ周辺の詳細な分解斜視図である。図４（ａ）は正面分解斜視図であり、図４（ｂ）は背面分解斜視図である。フレキシブル配線基板８のマイクロフォン実装部裏面には、ガラスエポキシ材から成る補強板８ｄを接着固定することで剛性を高めている。これにより、マイクブッシュ１１への組み付けが容易となっている。補強板８ｄは、マイクロフォン９ａ、９ｂとマイクブッシュ１１の音道孔１１ａ、１１ｂの間に配置するため、補強板８ｄにも導音孔８ａ、８ｂを形成している。
【００１８】
マイクロフォン９ａ、９ｂの実装面側には、集音孔９ｃ、９ｄが有り、その内部には不図示の振動膜等が組み込まれ、振動を電気信号へ変換している。集音孔９ｃ、９ｄの周囲には、集音孔半田接合部９ｅ、９ｆが形成され、フレキシブル配線基板８の導音孔半田接合部８ｅ、８ｆと全周が半田接合されることで、マイクロフォン９ａ、９ｂと導音孔８ａ、８ｂの密閉性を確保している。端子電極部９ｇ、９ｈは、フレキシブル配線基板８の端子半田接合部８ｇ、８ｈに半田接合することで電気的に接続される。
【００１９】
フレキシブル配線基板収納部１１ｃにフレキシブル配線基板８と補強板８ｄを挿入し、マイクロフォン収納部１１ｄ、１１ｅにてマイクロフォン９ａ、９ｂを覆うことで、マイクブッシュ１１はフレキシブル配線基板８を係止する。フレキシブル配線基板８と補強板８ｄの総厚は０．５ｍｍで、フレキシブル配線基板収納部１１ｃの厚み方向開口寸法は０．７ｍｍとなっている。これにより、組み付けに関しては差分となる隙間０．２ｍｍを有しているため容易となる。しかし、組み付け後は前述の隙間分０．２ｍｍがそのまま残るため、フレキシブル配線基板収納部１１ｃと補強板８ｄをフレキシブル配線基板８に接着固定した部分に関しては片寄せされていないため、ガタつきを有した状態となっている。
【００２０】
このガタつきはノイズとなり、集音性能を低下させる原因となるので、片寄せ等によってガタつきを抑える必要があり、その構造は図６の説明で後述する。
【００２１】
図５は保持部材１２をトップカバーユニット２に組み付ける状態を示し、図５（ａ）は斜視図であり、図５（ｂ）は図５（ａ）のＡ−Ａ間の断面図である。トップカバーユニット２に組み込まれたマイクロフォン９ａ、９ｂを内包しているマイクブッシュ１１に対し、保持部材１２を挿し込むように組み付ける。この時、マイクブッシュ１１のマイクロフォン収納部１１ｄ、１１ｅを避けた位置に、保持部材１１はリブ１２ａを形成し、先端は斜面部１２ｂとすることで、組み付け時のマイクブッシュ１１がめくれ上がりにくくなり、組み付け作業性は向上する。
【００２２】
リブ１２ａがマイクロフォン収納部１１ｄ、１１ｅを避ける理由は、内包しているマイクロフォン９ａ、９ｂに組み付けの際のストレスを与えにくくするためで、マイクロフォン９ａ、９ｂの破損や、半田接合部の剥がれなどを未然に防止するためである。組み付けられた保持部材１１は、ビス１３にてトップカバーユニット２へ固定される。
【００２３】
図６は保持部材１２をトップカバーユニット２に固定した状態を示す。図６（ａ）はトップカバーユニット２の受音孔２ａ、２ｂの正面図を示し、図６（ｂ）は図６（ａ）のＢ−Ｂ間の断面図を示し、図６（ｃ）は図６（ａ）のＣ−Ｃ間の断面図を示し、図６（ｄ）は図６（ａ）のＤ−Ｄ間の断面図を示す。
【００２４】
図６（ｂ）において、保持部材１２はトップカバーユニット２の規制部２ｄによって、図面左方向へは位置規制を受けている。この状態で、保持部材２のリブ１２ａは、マイクブッシュ１１に対し干渉させる形状としているため、Ｚ１部に示す図４で説明した隙間０．２ｍｍを埋めるように、マイクブッシュ１１が弾性変形し、圧接部１１ｆのような形状となる。これにより、図４で説明した隙間Ｚ１分の片寄せが機能し、ガタつきを低減することが可能となる。
【００２５】
図６（ｃ）において、マイクブッシュ１１と保持部材１２は、Ｚ２部に示す隙間を有しており、マイクロフォン９ｂには、図６（ｂ）のような圧接をしない構造となっている。保持部材１２は、立ち壁部１２ｃを具備し、マイクブッシュ１１のフレキシブル配線基板収納部１１ｃの空間を立ち壁部１２ｃで塞いでいる。この効果は図６（ｄ）の説明で後述する。
【００２６】
図６（ｄ）において、図６（ｂ）で説明したマイクブッシュ１１の圧接形状１１ｆは、マイクロフォン９ａ、９ｂの左右両方に形成している。これにより、マイクロフォン９ａ、９ｂの集音孔９ｃ、９ｄとフレキシブル配線基板８の導音孔８ａ、８ｂの密閉性は、集音孔が半田接合された状態だけよりも更に高められる。また、隙間Ｚ１や図６（ｃ）のフレキシブル配線基板収納部１１ｃから侵入するデジタルカメラ１の内部から発するノイズが、マイクロフォン９ａ、９ｂへ伝播しにくくなり、デジタルカメラ１の受音性能は更に向上する。
【００２７】
特にも本実施例の集音孔半田接合部９ｅ、９ｆは、半田後の接合状態の目視検査が不可能である。そのため、半田接合以外のマイクブッシュ１１の圧接部１１ｆによる、フレキシブル配線基板の導音孔８ａ、８ｂとマイクロフォン９ａ、９ｂの密閉性を向上する本実施例の構造は、受音性能向上に関して有効である。なお、本発明の好ましい実施形態について説明したが、本発明はこれらの実施形態に限定されず、その要旨の範囲内で種々の変形及び変更が可能である。
【００２８】
以上説明したように、電子機器外装の受音部側に、導音孔を設けた電子回路基板を配置し、その電子回路基板の背面側に導音孔を覆うようにマイクロフォンを半田付け実装した構造において、動画撮影中の光学ズーム変倍のメカ駆動音等の機器内部のノイズを記録しない高音質が得られる電子機器を提供することが可能となった。
【符号の説明】
【００２９】
１  デジタルカメラ、２  トップカバーユニット、２ａ・２ｂ  受音孔、
８  フレキシブル配線基板、８ａ・８ｂ  導音孔、９ａ・９ｂ  マイクロフォン、
１１  マイクブッシュ、１１ｃ  フレキシブル配線基板収納部、
１１ｄ・１１ｅ  マイクロフォン収納部、１１ｆ  圧接部、１２  保持部材、
１２ａ  リブ
【図１】
2016103685.tif 000003
【図２】
2016103685.tif 000004
【図３】
2016103685.tif 000005
【図４】
2016103685.tif 000006
【図５】
2016103685.tif 000007
【図６】
2016103685.tif 000008